【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
表示装置において、
映像入力端子からの映像信号を表示している際に、無線インタフェースを介した外部装置との間の通信の接続、又は、前記無線インタフェースを介した外部装置との間の通信の切断を検出する検出手段と、
外部装置との間の通信の接続が前記検出手段により検出された場合、前記無線インタフェースを介して当該外部装置から送られてきた画像を表示し、外部装置との間の通信の切断が前記検出手段により検出された場合、当該外部装置から送られてきた画像の表示から、当該画像を非表示とし、かつ、前記映像入力端子から入力された前記映像信号を表示するように切り替える表示手段と、
を有することを特徴とする表示装置。
【請求項２】
前記映像入力端子からの映像信号と前記無線インタフェースを介して外部装置から送られてきた画像の一方を選択して映像信号として出力する選択手段を更に備え、
前記選択手段は、前記検出手段により外部装置との間の通信の接続が検出された場合は、前記映像入力端子からの映像信号に替えて前記無線インタフェースを介して、当該外部装置から送られてきた前記画像を選択することを特徴とする請求項１に記載の表示装置。
【請求項３】
前記映像入力端子からの映像信号と前記無線インタフェースを介して受信した前記画像の映像信号とを合成して出力する合成手段を更に備え、
前記表示手段は、前記検出手段により外部装置との間の通信の接続が検出された場合に前記合成手段より出力された前記映像信号を表示することを特徴とする請求項１に記載の表示装置。
【請求項４】
前記合成手段は、前記映像入力端子からの前記映像信号と前記無線インタフェースを介して受信した前記画像の前記映像信号とをピクチャ・イン・ピクチャの形式で合成することを特徴とする請求項３に記載の表示装置。
【請求項５】
前記無線インタフェースにおける電波強度を判別する判別手段を更に有し、
前記表示手段は、前記判別手段により判別された前記電波強度に応じて、前記無線インタフェースを介して送られてきた前記画像の表示サイズを変更することを特徴とする請求項１乃至４のいずれか１項に記載の表示装置。
【請求項６】
前記検出手段により前記外部装置との間の通信の切断が検出された場合、前記表示手段は、前記合成手段によって合成された前記映像信号に替えて前記映像入力端子からの前記映像信号を表示することを特徴とする請求項３または４に記載の表示装置。
【請求項７】
表示装置において、
映像入力端子からの映像信号を表示している際に、無線インタフェースを介した第１の外部装置との間の通信の接続を検出する検出手段と、
前記映像入力端子からの前記映像信号が第２の外部装置からの画像に対応している映像信号であり、前記第２の外部装置からの前記画像が他の画像に切替えられた際に、前記映像入力端子からの前記映像信号に生じる変化を監視する監視手段と、
前記検出手段によって前記第１の外部装置との間の通信の接続が検出された場合、前記無線インタフェースを介して前記第１の外部装置から受信した画像を表示し、前記監視手段により前記映像信号の変化が検出された場合、前記第１の外部装置から受信した画像の表示から、前記第１の外部装置から受信した前記画像を非表示とし、かつ、前記映像入力端子から入力された前記映像信号の表示に切り替える表示手段と、
を備えることを特徴とする表示装置。
【請求項８】
前記映像入力端子からの前記映像信号と前記無線インタフェースを介して受信した画像の映像信号とを合成して出力する合成手段を更に備え、
前記表示手段は、前記検出手段により前記第１の外部装置との間の通信の接続が検出された場合に前記合成手段より出力された前記映像信号を表示することを特徴とする請求項７に記載の表示装置。
【請求項９】
表示装置の制御方法において、
前記表示装置の検出手段が、映像入力端子からの映像信号を表示している際に無線インタフェースを介した外部装置との間の通信の接続、又は、前記無線インタフェースを介した外部装置との間の通信の切断を検出する検出工程と、
前記表示装置の表示手段が、前記検出工程において外部装置との間の通信の接続が検出された場合、前記無線インタフェースを介して当該外部装置から送られてきた画像を表示し、外部装置との間の通信の切断が前記検出工程により検出された場合、当該外部装置から送られてきた画像の表示から、当該画像を非表示とし、かつ、前記映像入力端子から入力された前記映像信号を表示するように切り替える表示工程と、
を有することを特徴とする表示装置の制御方法。
【請求項１０】
コンピュータに表示装置の制御方法を実行させるプログラムを記憶したコンピュータにより読取り可能な記憶媒体であって、前記表示装置の制御方法は、
前記表示装置の検出手段が、映像入力端子からの映像信号を表示している際に無線インタフェースを介した外部装置との間の通信の接続、又は、前記無線インタフェースを介した外部装置との間の通信の切断を検出する検出工程と、
前記表示装置の表示手段が、前記検出工程において外部装置との間の通信の接続が検出された場合、前記無線インタフェースを介して当該外部装置から送られてきた画像を表示し、外部装置との間の通信の切断が前記検出工程により検出された場合、当該外部装置から送られてきた画像の表示から、当該画像を非表示とし、かつ、前記映像入力端子から入力された前記映像信号を表示するように切り替える表示工程と、
を有することを特徴とする記憶媒体。
【請求項１１】
表示装置の制御方法において、
前記表示装置の検出手段が、映像入力端子からの映像信号を表示している際に、無線インタフェースを介した第１の外部装置との間の通信の接続を検出する検出工程と、
前記表示装置の監視手段が、前記映像入力端子からの前記映像信号が第２の外部装置からの画像に対応している映像信号であり、前記第２の外部装置からの前記画像が他の画像に切替えられた際に、前記映像入力端子からの前記映像信号に生じる変化を監視する監視工程と、
前記表示装置の表示手段が、前記検出工程によって前記第１の外部装置との間の通信の接続が検出された場合、前記無線インタフェースを介して前記第１の外部装置から受信した画像を表示し、前記監視工程により前記映像信号の変化が検出された場合、前記第１の外部装置から受信した画像の表示から、前記第１の外部装置から受信した前記画像を非表示とし、かつ、前記映像入力端子から入力された前記映像信号の表示に切り替える表示工程と、
を有することを特徴とする表示装置の制御方法。
【請求項１２】
コンピュータに表示装置の制御方法を実行させるプログラムを記憶したコンピュータにより読取り可能な記憶媒体であって、前記表示装置の制御方法は、
前記表示装置の検出手段が、映像入力端子からの映像信号を表示している際に、無線インタフェースを介した第１の外部装置との間の通信の接続を検出する検出工程と、
前記表示装置の監視手段が、前記映像入力端子からの前記映像信号が第２の外部装置からの画像に対応している映像信号であり、前記第２の外部装置からの前記画像が他の画像に切替えられた際に、前記映像入力端子からの前記映像信号に生じる変化を監視する監視工程と、
前記表示装置の表示手段が、前記検出工程によって前記第１の外部装置との間の通信の接続が検出された場合、前記無線インタフェースを介して前記第１の外部装置から受信した画像を表示し、前記監視工程により前記映像信号の変化が検出された場合、前記第１の外部装置から受信した画像の表示から、前記第１の外部装置から受信した前記画像を非表示とし、かつ、前記映像入力端子から入力された前記映像信号の表示に切り替える表示工程と、
を有することを特徴とする記憶媒体。
【手続補正２】
【補正対象書類名】明細書
【補正対象項目名】発明の名称
【補正方法】変更
【補正の内容】
【発明の名称】表示装置、表示装置の制御方法及び記憶媒体
【手続補正３】
【補正対象書類名】明細書
【補正対象項目名】０００６
【補正方法】変更
【補正の内容】
【０００６】
上記目的を達成する為に本出願にかかる第一の発明は、表示装置において、
映像入力端子からの映像信号を表示している際に、無線インタフェースを介した外部装置との間の通信の接続、又は、前記無線インタフェースを介した外部装置との間の通信の切断を検出する検出手段と、
外部装置との間の通信の接続が前記検出手段により検出された場合、前記無線インタフェースを介して当該外部装置から送られてきた画像を表示し、外部装置との間の通信の切断が前記検出手段により検出された場合、当該外部装置から送られてきた画像の表示から、当該画像を非表示とし、かつ、前記映像入力端子から入力された前記映像信号を表示するように切り替える表示手段と、を有することを特徴とする。